(57)【要約】【課題】  ガイドレールの防錆を改良したエレベータを提供する。【解決手段】  エレベータは、昇降路内を昇降する昇降ユニットと、前記昇降ユニットの昇降を案内するガイドレールと、前記昇降ユニット側に設けられる磁石部と、前記ガイドレール側に設けられるコイル部と、を有し、前記昇降ユニットの昇降によって発電するとともに、前記ガイドレールに電流を流す複数の発電機と、を備える。【選択図】図２
2012218833.tif 000002
【特許請求の範囲】
【請求項１】
昇降路内を昇降する昇降ユニットと、
前記昇降ユニットの昇降を案内するガイドレールと、
前記昇降ユニット側に設けられる磁石部と、前記ガイドレール側に設けられるコイル部と、を有し、前記昇降ユニットの昇降によって発電するとともに、前記ガイドレールに電流を流す複数の発電機と、
を備えるエレベータ。
【請求項２】
前記昇降路を取り囲んだ壁部と、
前記ガイドレールを前記壁部に取り付けるブラケットと、
前記ガイドレールと前記壁部との間および前記ガイドレールと前記ブラケットとの間の少なくとも一方に設けられる絶縁体と、
を備えることを特徴とする請求項１に記載のエレベータ。
【請求項３】
前記コイル部は、前記ガイドレールの長さ方向に沿って略均一ピッチで設けられる請求項２に記載のエレベータ。
【請求項４】
前記コイル部は、前記ガイドレールの両端部に近づくにつれて密に設けられる請求項３に記載のエレベータ。
【請求項５】
前記ガイドレール側は、前記ガイドレール自体と、前記ガイドレールの近傍に位置するとともに前記昇降路を取り囲んだ壁部と、を含む請求項１に記載のエレベータ。
【請求項６】
昇降路内を昇降する昇降ユニットと、
前記昇降ユニットの昇降を案内するガイドレールと、
前記昇降ユニット側に設けられる磁石部と、前記ガイドレール側に設けられるコイル部と、自らの発電量を取得する取得部と、を有し、前記昇降ユニットの昇降によって発電するとともに、前記ガイドレールに電流を流す複数の発電機と、
前記ガイドレールに電流を流すことが可能な複数の外部電源と、
前記取得部で取得された前記発電量が所定の値よりも小さいときに前記複数の外部電源から前記ガイドレールに電流を流す制御部と、
を備えるエレベータ。
【請求項７】
前記複数の外部電源のうちの１つは、前記ガイドレールの一方の端部の近傍に設けられ、前記複数の外部電源のうちの１つは、前記ガイドレールの他方の端部の近傍に設けられる請求項６に記載のエレベータ。
【請求項８】
昇降路内を昇降する昇降ユニットと、
前記昇降ユニットの昇降を案内するガイドレールと、
前記昇降ユニット側に設けられる磁石部と、前記ガイドレール側に設けられるコイル部と、を有し、前記昇降ユニットの昇降によって発電する複数の発電機と、
前記複数の発電機で発電された電気が蓄えられる複数のバッテリと、
一定の時間間隔で前記複数のバッテリから前記ガイドレールに電流を流すタイマーと、
を備えたエレベータ。
【請求項９】
昇降路内を昇降する昇降ユニットと、
前記昇降ユニットの昇降を案内するガイドレールと、
前記昇降ユニットの昇降時の運動エネルギーおよび該運動エネルギーから派生したエネルギーのいずれかによって発電するとともに、電流を前記ガイドレールに流す複数の発電機と、
を備えるエレベータ。
【発明の詳細な説明】
【技術分野】
【０００１】
本発明の実施形態は、ガイドレールに防錆を施したエレベータに関する。
【背景技術】
【０００２】
雨水などによる鋼構造物の錆（さび）の発生を抑制し、耐久性を増大して長寿命化を図った鋼構造電子防錆システムが存在する。
【先行技術文献】
【特許文献】
【０００３】
【特許文献１】特開平１１−４３７８９号公報
【発明の概要】
【発明が解決しようとする課題】
【０００４】
一方、エレベータのガイドレールに関しても防錆の要請があり、防錆に関する改良へのニーズが存在していた。
【０００５】
本発明は、ガイドレールの防錆を改良したエレベータを提供することを目的とする。
【課題を解決するための手段】
【０００６】
実施形態のエレベータは、昇降路内を昇降する昇降ユニットと、前記昇降ユニットの昇降を案内するガイドレールと、前記昇降ユニット側に設けられる磁石部と、前記ガイドレール側に設けられるコイル部と、を有し、前記昇降ユニットの昇降によって発電するとともに、前記ガイドレールに電流を流す複数の発電機と、を備える。
【図面の簡単な説明】
【０００７】
【図１】第１の実施形態にかかるエレベータを示した正面図。
【図２】図１に示すエレベータのメインレールの周囲を拡大して示した断面図。
【図３】図１に示すエレベータのカウンターレールの周囲を拡大して示した断面図。
【図４】図１に示すエレベータの変圧器および整流器を示した模式図。
【図５】図２に示すメインレールおよびカウンターレールの内部の電子の流れを示した断面図。
【図６】第１の実施形態にかかるエレベータの変形例を示した断面図。
【図７】第２の実施形態にかかるエレベータのメインレールおよびカウンターレールの周囲を拡大して示した断面図。
【図８】第３の実施形態にかかるエレベータのメインレールおよびカウンターレールの周囲を拡大して示した断面図。
【発明を実施するための形態】
【０００８】
図１から図５を参照して、エレベータの第１の実施形態について説明する。
【０００９】
図１から図３に示すように、エレベータ１１は、昇降路１２と、昇降路１２の周囲を取り囲んだ壁部１３と、昇降路１２内を昇降する乗りかご１４と、昇降路１２の上方に設けられた機械室１５と、機械室１５に設けられた巻上機１６と、機械室１５に設けられて巻上機１６などを制御する制御盤１７と、巻上機１６のメインシーブ２３に巻き掛けられるとともに一端で乗りかご１４に固定されるメインロープ２１と、メインロープ２１の他端に固定されるつり合い重り２２と、メインシーブ２３に隣接して設けられたそらせシーブ２４と、乗りかご１４の昇降をガイドする金属製のメインレール２５と、メインレール２５を壁部１３に固定する金属製のメインレールブラケット２６と、つり合い重り２２の昇降をガイドする金属製のカウンターレール２７と、カウンターレール２７を壁部１３に固定する金属製のカウンターレールブラケット２８と、乗りかご１４に設けられるとともにメインレール２５に沿って乗りかごを案内するガイドシュー３１と、乗りかご１４に制御信号および電力を供給するテールコード３２と、乗りかご１４とつり合い重り２２とを連結したコンペンセーティングロープ３３と、コンペンセーティングロープ３３が巻き掛けられるコンペンセーティングシーブ３４と、乗りかご１４の昇降によって発電する複数の第１の交流発電機３５（発電機）と、つり合い重り２２の昇降によって発電する複数の第２の交流発電機３６（発電機）と、を備えている。乗りかご１４およびつり合い重り２２は、昇降路１２内を昇降する昇降ユニットの一例である。また、メインレール２５およびカウンターレール２７は、乗りかご１４およびつり合い重り２２の昇降を案内するガイドレールの一例である。
【００１０】
制御盤１７（制御部）は、巻上機１６のみならず、エレベータ１１全体を統括的に制御している。また、図４に示すように、エレベータ１１は、第１の交流発電機３５および第２の交流発電機３６で発電した電気の電圧を適切な値に調節するための変圧器３７と、交流電流を直流電流に変換するダイオード等で構成された整流器３８と、を備えている。
【００１１】
図２に示すように、エレベータ１１は、メインレール２５と壁部１３との間の位置に設けられた第１の絶縁体４１と、メインレール２５とメインレールブラケット２６との間の位置に設けられた第２の絶縁体４２と、を有しており、メインレール２５に流される電流が壁部１３に漏出しないようにしている。なお、メインレール２５と壁部１３との間が分離されており、メインレール２５がメインレールブラケット２６によってのみ壁部１３と接触する構造の場合には、第１の絶縁体４１は不要であり、第２の絶縁体４２のみを使用すれば足りる。
【００１２】
同様に、図３に示すように、エレベータ１１は、カウンターレール２７と壁部１３との間の位置に設けられた第３の絶縁体４３と、カウンターレール２７とカウンターレールブラケット２８との間の位置に設けられた第４の絶縁体４４と、を有し、カウンターレール２７に流される電流が壁部１３に漏出しないようにする。なお、カウンターレール２７と壁部１３との間が分離されており、カウンターレール２７がカウンターレールブラケット２８によってのみ壁部１３と接触する構造の場合には、第３の絶縁体４３は不要であり、第４の絶縁体４４のみを使用すれば十分である。第１から第４の絶縁体４４は、それぞれゴム製のシート等で構成される。
【００１３】
複数の第１の交流発電機３５のそれぞれは、乗りかご１４の昇降移動を利用して発電を行って、近傍にあるメインレール２５に対して電流（微弱電流）を流すことができる。図２に示すように、複数の第１の交流発電機３５は、メインレール２５の長さ方向に沿って略均一なピッチで設けられた複数の第１のコイル部４５と、乗りかご１４のガイドシュー３１の近傍に設けられた例えば１つの第１の磁石部４６と、を有している（図２では、第１のコイル部４５を１つのみ示す。）。すなわち、１つの第１の磁石部４６は、複数の第１の交流発電機３５によって共有されている。第１の磁石部４６は、例えば永久磁石で構成されているが、電磁石であってもよい。第１の磁石部４６は、その磁力線の向きが昇降路１２の高さ方向と直交する横方向に向いている。
【００１４】
また、本実施形態では、乗りかご１４に１つの第１の磁石部４６を設けているが、第１の磁石部４６の数はこれに限定されるものではなく、例えば乗りかご１４の高さ方向（上下方向）に沿って乗りかご１４に複数の第１の磁石部４６を設けて、発電効率をさらに向上しても良い。
【００１５】
第１のコイル部４５は、メインレール２５の中ほどでは、上記のように略均一なピッチ（例えば、１ｍ毎に１つ）で設けられているが、メインレール２５の上下方向の両端部に行くにつれて徐徐にピッチが小さくなるように密に配置される（例えば、５０ｃｍ毎に１つ、メインレールの最も端部に近い箇所では、２５ｃｍ毎に１つ）。
【００１６】
各第１のコイル部４５は、本実施形態では、例えば、メインレール２５の底部２５Ｂ（フランジ部）上に設けられている。各第１のコイル部４５は、第１の磁石部４６からの磁力線と直交する方向にコイルが巻かれている。第１のコイル部４５は、乗りかご１４の昇降によって第１の磁石部４６からの磁力線が第１のコイル部４５のコイルを横切ることにより、発電することができる。
【００１７】
各第１のコイル部４５のプラス極４７（陽極）はメインレール２５の頭部２５Ａに接続されている。第１のコイル部４５のマイナス極４８（陰極）はメインレール２５の底部２５Ｂ（フランジ部）に接続されている。
【００１８】
同様に、複数の第２の交流発電機３６のそれぞれは、つり合い重り２２の昇降移動を利用して発電を行って、近傍にあるカウンターレール２７に対して電流（微弱電流）を流すことができる。図３に示すように、複数の第２の交流発電機３６は、カウンターレール２７の長さ方向に沿って略均一なピッチで設けられた複数の第２のコイル部５１と、つり合い重り２２のガイドシュー３１の近傍に設けられた例えば１つの第２の磁石部５２と、を有している（図２では、第２のコイル部５１を１つのみ示す。）。すなわち、１つの第２の磁石部５２は、複数の第２の交流発電機３６によって共有されている。第２の磁石部５２は、例えば永久磁石で構成されているが、電磁石であってもよい。また、本実施形態では、つり合い重り２２に１つの第２の磁石部５２を設けているが、第１の磁石部４６と同様に、つり合い重り２２の高さ方向（上下方向）に沿ってつり合い重り２２に複数の第２の磁石部５２を設けて、発電効率を高めても良い。
【００１９】
第２のコイル部５１は、カウンターレール２７の中ほどでは、上記のように略均一なピッチ（例えば、１ｍ毎に１つ）で設けられているが、カウンターレール２７の上下方向の両端部に行くにつれて徐徐にピッチが小さくなるように密に配置される（例えば、５０ｃｍ毎に１つ、カウンターレール２７の最も端部に近い箇所では、２５ｃｍ毎に１つ）。
【００２０】
各第２のコイル部５１は、本実施形態では、例えば、カウンターレール２７の底部２５Ｂ（フランジ部）上に設けられている。各第２のコイル部５１は、第２の磁石部５２からの磁力線と直交する方向にコイルが巻かれている。第２のコイル部５１は、つり合い重り２２の昇降によって第２の磁石部５２からの磁力線が第２のコイル部５１のコイルを横切ることにより、発電することができる。
【００２１】
各第２のコイル部５１のプラス極４７（陽極）はカウンターレール２７の頭部２７Ａに接続されている。第２のコイル部５１のマイナス極４８（陰極）はカウンターレール２７の底部２７Ｂ（フランジ部）に接続されている。
【００２２】
続いて、図５等を参照して、第１の実施形態の防錆作用について説明する。まず、エレベータ１１が作動して乗りかご１４およびつり合い重り２２が昇降路１２内で昇降移動すると、乗りかご１４が通過した位置にある第１の交流発電機３５の第１のコイル部４５、およびつり合い重り２２が通過した位置にある第２の交流発電機３６の第２のコイル部５１、において発電される。第１のコイル部４５で発電された微弱な電流は、メインレール２５の頭部２５Ａから底部２５Ｂに向けて流れる（実際には、メインレール２５の底部２５Ｂから頭部２５Ａに向けて電子が供給される）。同様に、第２のコイル部５１で発電された微弱な電流は、カウンターレール２７の頭部２７Ａから底部２７Ｂに向けて流れる（実際には、カウンターレール２７の底部２７Ｂから頭部２７Ａに向けて電子が供給される）。このように、メインレール２５およびカウンターレール２７において常に電子が供給され、メインレール２５およびカウンターレール２７を構成する金属のイオン化が防がれて、メインレール２５およびカウンターレール２７の錆が防止される。
【００２３】
また、通常のエレベータ１１では、メインレール２５およびカウンターレール２７の両端部に行くにつれて、乗りかご１４およびつり合い重り２２が通過する回数が少なくなり、第１の交流発電機３５および第２の交流発電機３６において十分な発電がなされない可能性がある。本実施形態では、メインレール２５およびカウンターレール２７の両端部に行くにつれて第１の交流発電機３５および第２の交流発電機３６が高密度で配置されるため、乗りかご１４およびつり合い重り２２の少なくとも１回の通過があれば、防錆のために必要な量の電子が供給されるように設計されている。
【００２４】
第１の実施形態によれば、エレベータ１１は、昇降路１２内を昇降する昇降ユニットと、昇降ユニットの昇降を案内するガイドレールと、昇降ユニット側に設けられる磁石部と、ガイドレール側に設けられるコイル部と、を有し、昇降ユニットの昇降によって発電するとともに、ガイドレールに電流を流す複数の発電機と、を備える。
【００２５】
上記構成によれば、昇降ユニット（乗りかご１４、つり合い重り２２）の昇降によって発電する発電機を利用してガイドレール（メインレール２５、カウンターレール２７）に防錆をすることができ、別途に電源が不要で構成を簡略化できるとともに、今までに使用されていなかったクリーンなエネルギーを有効に活用することができる。
【００２６】
また、エレベータ１１は、昇降路１２を取り囲んだ壁部１３と、ガイドレールを壁部１３に取り付けるブラケットと、ガイドレールと壁部１３との間およびガイドレールとブラケットとの間の少なくとも一方に設けられる絶縁体と、を備える。
【００２７】
これによれば、ガイドレールに供給された電流（電子）の一部が壁部１３に漏出してしまうことがなく、ガイドレールの防錆（電子防錆）の効果をより一層効率よく発揮できる。
【００２８】
また、コイル部は、ガイドレールの長さ方向に沿って略均一ピッチで設けられる。この構成によれば、ガイドレール（メインレール２５、カウンターレール２７）に沿ってコイル部（第１のコイル部４５、第２のコイル部５１）を複数設けることができるため、コイル部１つ１つにおける発電量が仮に少なかったとしても、コイル部の数によって発電量を補うことができる。これによって、ガイドレールの各部において十分な電子が供給され、ガイドレールの防錆効果を十分に発揮できる。
【００２９】
さらに、コイル部は、ガイドレールの両端部に近づくにつれて密に設けられる。このため、昇降ユニット（乗りかご１４、つり合い重り２２）の通過回数が必然的に少なくなるガイドレール（メインレール２５、カウンターレール２７）の両端部においても、発電量が足りなくなることがなく、防錆のために十分な量の電子をガイドレールに供給することができる。
【００３０】
図６を参照して、第１の実施形態のエレベータの変形例を説明する。本変形例では、第１の実施形態とは異なり、第１の交流発電機３５の第１のコイル部４５および第２の交流発電機３６の第２のコイル部５１がメインレール２５およびカウンターレール２７の底部２５Ｂ上ではなく、メインレール２５およびカウンターレール２７の近傍にある壁部１３上に設置されている。また、第１の磁石部４６は、ガイドシュー３１ではなく、乗りかご１４から突出させた構造４９の先端に設けられている。また同様に、第２の磁石部５２は、ガイドシュー３１ではなく、つり合い重り２２から突出させた構造５０の先端に設けられている。
【００３１】
本変形例によっても、メインレール２５およびカウンターレール２７に十分な防錆効果を得ることができる。すなわち、第１のコイル部４５および第２のコイル部５１の設置位置はメインレール２５およびカウンターレール２７の底部２５Ｂ上に限られない。しかしながら、第１の実施形態では、メインレール２５およびカウンターレール２７の底部２５Ｂ上に第１のコイル部４５および第２のコイル部５１を設けることで、昇降路１２内のスペースを有効に活用している。
【００３２】
続いて、図７を参照して、エレベータの第２の実施形態について説明する。第２の実施形態のエレベータ１１は、ガイドレールに電流を流すことが可能な複数の外部電源６１などを有している点で第１の実施形態と構成が異なっているが、他の部分は共通している。このため、主として第１の実施形態と異なる部分について説明し、共通する箇所については共通の符号を付して説明を省略する。
【００３３】
本実施形態では、複数の第１の交流発電機３５がメインレール２５の長さ方向に沿って略均一なピッチで配置されている（例えば、１ｍ毎に１つ）。そして、第１の実施形態のようにメインレール２５の両端部に行くにつれて第１の交流発電機３５を密に配置する代わりに、本実施形態ではメインレール２５の両端部の近傍にある複数の第１の交流発電機３５にそれぞれ外部電源６１を付属させている。
【００３４】
すなわち、複数の外部電源６１のうちの１つは、メインレール２５の下端（一方の端部）の近傍にある第１の交流発電機３５に接続される。複数の外部電源６１のうちの１つは、メインレールの上端（他方の端部）の近傍にある第１の交流発電機３５に接続される。本実施形態では、これらの外部電源６１の一例としてバッテリが用いられている。
【００３５】
同様に、本実施形態では、複数の第２の交流発電機３６がカウンターレール２７の長さ方向に沿って略均一なピッチで配置されている（例えば、１ｍ毎に１つ）。そして、第１の実施形態のようにカウンターレール２７の両端部に行くにつれて第２の交流発電機３６を密に配置する代わりに、本実施形態ではカウンターレール２７の両端部の近傍にある複数の第２の交流発電機３６にそれぞれ外部電源６１を付属させている。
【００３６】
すなわち、複数の外部電源６１のうちの１つは、カウンターレール２７の下端（一方の端部）の近傍にある第２の交流発電機３６に接続される。複数の外部電源６１のうちの１つは、カウンターレール２７の上端（他方の端部）の近傍にある第２の交流発電機３６に接続される。本実施形態では、これらの外部電源６１の一例としてバッテリが用いられている。なお、外部電源６１は、バッテリに限定されるものではなく、例えば制御盤１７から電力を供給するものであってもよい。
【００３７】
また、本実施形態では、複数の第１の交流発電機３５のそれぞれは、自ら発電を行った発電量を取得し、制御盤１７（制御部）に送信可能な第１の取得部６２を有している。同様に、また、複数の第２の交流発電機３６のそれぞれは、自ら発電を行った発電量を取得し、制御盤１７（制御部）に送信可能な第２の取得部６３を有している。
【００３８】
続いて、本実施形態のエレベータ１１における防錆作用について説明する。エレベータ１１の通常運転によって、乗りかご１４或いはつり合い重り２２が昇降すると、乗りかご１４或いはつり合い重り２２が第１の交流発電機３５および第２の交流発電機３６を通過する際に、第１のコイル部４５および第２のコイル部５１において発電される。このように発電された電気は、メインレール２５およびカウンターレール２７の底部２５Ｂ、２７Ｂから頭部２５Ａ、２７Ａに向けて電子として供給される。また同時に、第１の取得部６２において第１の交流発電機３５が発電した発電量が取得されるとともに、第２の取得部６３において第２の交流発電機３６が発電した発電量が取得され、それらの結果が制御盤１７（制御部）に送信される。制御盤１７では、各第１の交流発電機３５の発電量、および各第２の交流発電機３６の発電量を所定の基準値と比較する。基準値と比較した結果、基準値を下回る発電量しか得られなかった箇所では、スイッチ６４を作動させて外部電源６１からメインレール２５およびカウンターレール２７に電流を流すようにする。基準値を上回る発電量が得られている場合には、外部電源６１からの電流の供給を行なわない。
【００３９】
第２の実施形態によれば、エレベータ１１は、昇降路１２内を昇降する昇降ユニットと、昇降ユニットの昇降を案内するガイドレールと、昇降ユニット側に設けられる磁石部と、ガイドレール側に設けられるコイル部と、を有し、昇降ユニットの昇降によって発電するとともに、ガイドレールに電流を流す複数の発電機と、ガイドレールに電流を流すことが可能な複数の外部電源６１と、複数の発電機のそれぞれに設けられるとともに、自らの発電量を取得する複数の取得部と、複数の取得部で取得された発電量が所定の値よりも小さいときに複数の外部電源６１からガイドレールに電流を流す制御部と、を備える。
【００４０】
この構成によれば、発電機において予定した電力が発電できなかった場合に、外部電源６１を利用してガイドレール（メインレール２５、カウンターレール２７）に電流を流すことができ、ガイドレールにおいて確実に防錆効果を発揮させることができる。
【００４１】
また、複数の外部電源のうちの１つは、ガイドレールの一方の端部の近傍に設けられ、複数の外部電源のうちの１つは、ガイドレールの他方の端部の近傍に設けられる。この構成によれば、昇降ユニット（乗りかご１４、つり合い重り２２）の通過回数が必然的に少なくなるガイドレール（メインレール２５、カウンターレール２７）の両端部において、外部電源を予備的な電源として配置することができる。これによって、発電機において所定の発電量が得られなかった場合に、外部電源６１からガイドレールに電流を流すことができ、ガイドレールの防錆効果を確実に発揮させることができる。
【００４２】
なお、本実施形態では、外部電源（バッテリ）をメインレール２５およびカウンターレール２７の両端部の近傍にのみ設けるようにしているが、この例に限定されるものではなく、例えば、局所的に発電量が小さくなる箇所に設ける予備的な電源として外部電源６１を配置してもよい。
【００４３】
続いて、図８を参照して、エレベータの第３の実施形態について説明する。第３の実施形態のエレベータ１１は、第１の交流発電機３５および第２の交流発電機３６で発電された電気を一旦バッテリ７１に充電する点などで第１の実施形態と構成が異なっているが、他の部分は共通している。このため、主として第１の実施形態と異なる部分について説明し、共通する箇所については共通の符号を付して説明を省略する。
【００４４】
本実施形態では、エレベータ１１は、複数の第１の交流発電機３５または複数の第２の交流発電機３６のそれぞれに接続された複数のバッテリ７１と、複数のバッテリ７１に接続されて複数のバッテリ７１からメインレール２５またはカウンターレール２７に電流を流したり、複数のバッテリ７１からの電流を遮断したりする複数のスイッチ６４と、複数のスイッチ６４にそれぞれ接続された複数のタイマー７２と、を有している。各バッテリ７１のプラス極４７（陽極）はメインレール２５またはカウンターレール２７の頭部２５Ａ（２７Ａ）に接続されている。各バッテリ７１のマイナス極４８（陰極）はメインレール２５またはカウンターレール２７の底部２５Ｂ（２７Ｂ）に接続されている。複数の第１の交流発電機３５および複数の第２の交流発電機３６の配置は、第１の実施形態と同様である。
【００４５】
本実施形態のエレベータの防錆作用について説明する。本実施形態では、複数の第１の交流発電機３５および複数の第２の交流発電機３６で発電された電気は、例えばダイオード等で構成される整流器３８を通して直流に変換され、一旦バッテリ７１に充電される。バッテリ７１に充電された電力は、タイマー７２の制御によって作動するスイッチ６４によって、例えば、数時間に一度、数秒間電流がメインレール２５或いはカウンターレール２７に流される。なお、電流を流す間隔および流す時間については、建物内の湿度等の状況に応じて適宜に設定することができる。
【００４６】
第３の実施形態によれば、エレベータ１１は、昇降路内を昇降する昇降ユニットと、昇降ユニットの昇降を案内するガイドレールと、昇降ユニット側に設けられる磁石部と、ガイドレール側に設けられるコイル部と、を有し、昇降ユニットの昇降によって発電する複数の発電機と、複数の発電機で発電された電気が蓄えられる複数のバッテリ７１と、一定の時間間隔で複数のバッテリ７１からガイドレールに電流を流すタイマー７２と、を備えた。
【００４７】
この構成によれば、発電機で発電された電力を一旦バッテリ７１に充填して蓄積することができるため、例えばエレベータ１１がある一定の期間休止するような場合であっても、バッテリ７１内の電力が続く限度で、ガイドレールに一定の期間、防錆効果を発揮させることができる。同様に、エレベータ１１が稼働する頻度の少ない夜間においても防錆効果を発揮させることができ、錆の発生率をより一層低下させることができる。これによって、ガイドレールの寿命をさらに延ばすことができる。
【００４８】
本発明のエレベータ１１は、前記実施の形態に限定されるものではなく、前記実施形態に登場する発電機は一例に過ぎない。その他、昇降ユニット（乗りかご１４、つり合い重り２２）の昇降時の運動エネルギーおよびこれから派生したエネルギー（振動、風力、回生電力）のいずれかを利用して発電を行って、この発電された電力（電流）をガイドレール（メインレール２５、カウンターレール２７）に流して防錆を行っても良い。
【００４９】
具体的には、乗りかご１４およびつり合い重り２２の昇降時にメインレール２５およびカウンターレール２７に発生する振動を利用して、例えばこれらに隣接して設けた圧電素子を発電機として発電を行って、メインレール２５およびカウンターレール２７に微弱電流を流してもある程度防錆効果が期待できる。この振動は、例えば、乗りかご１４およびつり合い重り２２が昇降する際に、乗りかご１４およびつり合い重り２２に設けられるローラ式のガイドシューがメインレール２５およびカウンターレール２７に接触することで発生する。
【００５０】
同様に、乗りかご１４およびつり合い重り２２の昇降時に発生する風力を利用する小型の風力発電機によって発電を行って、それによって微弱電流をメインレール２５およびカウンターレール２７に流しても、同様に防錆効果が期待できる。
【００５１】
さらには、移動する乗りかご１４を停止させる際に巻上機１６において発生する回生電力を利用して、当該電力に変圧および整流を行った後、さらに必要であればバッテリ７１に蓄積した上で、メインレール２５およびカウンターレール２７に微弱電流として流しても防錆効果がある。このほか、発明の要旨を逸脱しない範囲で種々変形実施可能であるのは勿論である。
【符号の説明】
【００５２】
１１…エレベータ、１２…昇降路、１３…壁部、１４…乗りかご、１７…制御盤、２２…つり合い重り、２５…メインレール、２６…メインレールブラケット、２７…カウンターレール、２８…カウンターレールブラケット、３５…第１の交流発電機、３６…第２の交流発電機、４１…第１の絶縁体、４２…第２の絶縁体、４３…第３の絶縁体、４４…第４の絶縁体、４５…第１のコイル部、４６…第１の磁石部、５１…第２のコイル部、５２…第２の磁石部、６１…外部電源、６２…第１の取得部、６３…第２の取得部、６４…スイッチ、７１…バッテリ、７２…タイマー
【図１】
2012218833.tif 000003
【図２】
2012218833.tif 000004
【図３】
2012218833.tif 000005
【図４】
2012218833.tif 000006
【図５】
2012218833.tif 000007
【図６】
2012218833.tif 000008
【図７】
2012218833.tif 000009
【図８】
2012218833.tif 000010